(57)【要約】  本発明は動的パスワードロックシステムと遠隔パスワードロック設備を開示し、動的パスワードロックシステムは、ロック部材やロック部材駆動装置、マイクロプロセッサ、解錠認証装置と電源切替装置を含み、解錠認証装置はマイクロプロセッサを通じてロック部材駆動装置と電気的に接続され、ロック部材を駆動させ、動的パスワードロックシステムは、物理インタフェースも有し、物理インタフェースはマイクロプロセッサと電気的に接続されて、動的パスワードロックシステムを外部通信設備と通信させる通信インタフェースを構成し、物理インタフェースは電源切替装置と電気的に接続されて、外部給電設備から前記動的パスワードロックシステムに電気を供給する給電インタフェースを構成する。遠隔パスワードロック設備は動的パスワードロックシステム、ＩＰＣとストレージ装置を含む。本発明による動的パスワードロックシステムは正常な給電と通信機能を保証することに基づき、動的パスワードロックシステムの原価を効果的に低下し、補修が容易になり、安全性も高くなる。ＵＳＢインタフェース類物理インタフェースで電気を供給するため、別途のバッテリなどを用意する必要がなく、環境に優しいというメリットがある。
2017508089.tif 000002
【特許請求の範囲】
【請求項１】
ロック部材、ロック部材駆動装置、マイクロプロセッサ、解錠認証装置、電源切替装置を有し、
前記解錠認証装置は前記マイクロプロセッサを通じて前記ロック部材駆動装置と電気的に接続され、前記ロック部材を駆動させる構成とする動的パスワードロックシステムであって、
前記動的パスワードロックシステムは、物理インタフェースも有し、
【請求項２】
前記物理インタフェースは前記マイクロプロセッサと電気的に接続され、前記動的パスワードロックシステムを外部通信設備と通信させる通信インタフェースを構成し、
【請求項３】
前記物理インタフェースは前記電源切替装置と電気的に接続され、外部給電設備から前記動的パスワードロックシステムに電気を供給する給電インタフェースを構成する、
ことを特徴とする動的パスワードロックシステム。
【請求項４】
前記動的パスワードロックシステムはロック部材位置検出装置も有し、
前記ロック部材位置検出装置は前記マイクロプロセッサを通じて前記物理インタフェースと電気的に接続され、前記外部通信設備との通信を実現する、
ことを特徴とする請求項１に記載の動的パスワードロックシステム。
【請求項５】
前記ロック部材位置検出装置は磁場センサー又は赤外線センサーである、
ことを特徴とする請求項２に記載の動的パスワードロックシステム。
【請求項６】
前記電源切替装置は降圧型切替機である、
ことを特徴とする請求項１に記載の動的パスワードロックシステム。
【請求項７】
前記降圧型切替機の出力電圧は３．３Ｖ直流電圧である、
ことを特徴とする請求項４に記載の動的パスワードロックシステム。
【請求項８】
前記ロック部材駆動装置は電磁駆動装置、マイクロステップモータ又はマイクロ直流モータである、
ことを特徴とする請求項１に記載の動的パスワードロックシステム。
【請求項９】
前記解錠認証装置はパスワードキーボード、指紋認証装置又はｉｂｕｔｔｏｎ認証装置である、
ことを特徴とする請求項１に記載の動的パスワードロックシステム。
【請求項１０】
前記物理インタフェースは標準インタフェースＵＳＢインタフェースプロトコルを用いたＵＳＢインタフェースである、
ことを特徴とする請求項１〜７のいずれかに記載の動的パスワードロックシステム。
【請求項１１】
前記ＵＳＢインタフェースは前記動的パスワードロックシステムのケーシング表面上に設置、又はケーシングから延出され、
前記ＵＳＢインタフェースはＵＳＢオス又はｍｉｎｉＵＳＢオスを有し、前記ＵＳＢオス又はｍｉｎｉＵＳＢオスにはプラグイン式ＵＳＢ引出接続ケーブルが設置される、
ことを特徴とする請求項８に記載の動的パスワードロックシステム。
【請求項１２】
請求項１〜９中のいずれかに記載の動的パスワードロックシステムと、ＩＰＣとストレージ装置をさらに有してなる遠隔パスワードロック設備であって、
【請求項１３】
前記ＩＰＣは前記物理インタフェースを通じて前記動的パスワードロックシステムと電気的に接続されて、前記動的パスワードロックシステムとの通信を実現するとともに、前記動的パスワードロックシステムに電気を供給し、
【請求項１４】
前記ストレージ装置は前記ＩＰＣを通じて前記動的パスワードロックシステムと通信接続される、
ことを特徴とする遠隔パスワードロック設備。
【発明の詳細な説明】
【技術分野】
【０００１】
本発明は、動的パスワードロックシステム技術分野に関するものであり、特に動的パスワードロックシステム及び遠隔パスワードロック設備に関するものである。
【背景技術】
【０００２】
現在、銀行業界のＡＴＭ機や金庫などは貴重品の保管に多く使われている。貴重品の安全性を保証するために、単なるパスワードとキーによる解錠解錠方式はすでに施錠装置に対する要求を満たすことができず、一般に施錠装置の解錠記録や施錠装置のリアルタイム状態などの遠隔モニタリング機能も要求される。上記機能を実現するために、施錠装置にはバッテリ装置を設置して電源を構成する必要があり、通信装置は遠隔又は近距離の無線又はケーブル方式通信を通じて、バックグラウンドサーバーと通信を行う。全ての機能を施錠装置上に設置すると、施錠装置の原価が高くなり、そして、問題が出た場合には、補修が難しくなり、安全性も低くなる。
【発明の概要】
【発明が解決しようとする課題】
【０００３】
本発明は、既存技術中の上記問題を解決するために、動的パスワードロックシステム及び遠隔パスワードロック設備を構成することに目的があり、動的パスワードロックシステムの正常な給電と通信機能を保証することを基本し、動的パスワードロックシステムの原価を効果的に低下し、補修が容易とし、安全性を向上させるものである。
【課題を解決するための手段】
【０００４】
本発明の目的を達成するために、本発明は動的パスワードロックシステムを構成する。動的パスワードロックシステムは、ロック部材、ロック部材駆動装置、マイクロプロセッサ、解錠認証装置と電源切替装置を有し、前記解錠認証装置は前記マイクロプロセッサを通じて前記ロック部材駆動装置と電気的に接続され、前記ロック部材を駆動させ、前記動的パスワードロックシステムは、物理インタフェースも有し、前記物理インタフェースは前記マイクロプロセッサと電気的に接続されて、前記動的パスワードロックシステムを外部通信設備と通信させる通信インタフェースを構成し、前記物理インタフェースは前記電源切替装置と電気的に接続されて、外部給電設備から前記動的パスワードロックシステムに電気を供給する給電インタフェースを構成する。
【０００５】
さらに、前記動的パスワードロックシステムはロック部材位置検出装置も有し、前記ロック部材位置検出装置は前記マイクロプロセッサを通じて前記物理インタフェースと電気的に接続されて、外部通信設備との通信を実現する。
【０００６】
好ましくは、前記ロック部材位置検出装置は磁場センサー又は赤外線センサーである。
【０００７】
好ましくは、前記電源切替装置は降圧型切替機である。
【０００８】
好ましくは、前記降圧型切替機の出力電圧は３．３Ｖの直流電圧である。
【０００９】
好ましくは、前記ロック部材駆動装置は電磁駆動装置、マイクロステップモータ又はマイクロ直流モータである。
【００１０】
好ましくは、前記解錠認証装置はパスワードキーボード、指紋認証装置又はｉｂｕｔｔｏｎ認証装置である。
【００１１】
好ましくは、前記物理インタフェースは標準インタフェースＵＳＢ インタフェースプロトコルを用いたＵＳＢインタフェースである。
【００１２】
好ましくは、前記ＵＳＢインタフェースは前記動的パスワードロックシステムのケーシング表面上に設置、又はケーシングから延出され、前記ＵＳＢインタフェースはＵＳＢオス又はｍｉｎｉＵＳＢオスを有し、前記ＵＳＢオス又はｍｉｎｉＵＳＢオスにはプラグイン式ＵＳＢ引出接続ケーブルが設置される。
【００１３】
また、本発明は遠隔パスワードロック設備も提供しており、当該設備は上記動的パスワードロックシステムを含み、そして、ＩＰＣとストレージ装置も有し、その中、前記ＩＰＣは前記物理インタフェースを通じて前記動的パスワードロックシステムと電気的に接続されて、前記動的パスワードロックシステムとの通信を実現するとともに、前記動的パスワードロックシステムに電気を供給し、前記ストレージ装置は前記ＩＰＣを通じて前記動的パスワードロックシステムと通信接続される。
【発明の効果】
【００１４】
既存技術に比べて、本発明の動的パスワードロックシステムは物理インタフェースを設置することによって、外部設備との通信インタフェースと給電インタフェースを構成し、これによって、これらの応答機能を施錠装置上にまとめて設置する必要がないので、コンパクトになり、動的パスワードロックシステムの原価を効果的に低減することができ、補修が容易になり、安全性も高くなる。ＵＳＢインタフェース類物理インタフェースで電気を供給するため、別途のバッテリなどを用意する必要がなく、環境に優しいというメリットがある。それと同時に、上記構造上の改進を通じて、本発明の遠隔パスワードロック設備は、現在施錠装置に対する解錠記録、施錠装置のリアルタイム状態などの遠隔モニタリング機能に対する要求を満たすことができる。
【図面の簡単な説明】
【００１５】
図１は本発明の動的パスワードロックシステムの構造見取り図である。
【００１６】
図２は本発明の遠隔パスワードロック設備の構造見取り図である。
【発明を実施するための形態】
【００１７】
次は添付図と具体的な実施例に合わせて、本発明に対してさらに詳しく説明するが、本発明に対して限定するものではない。
【００１８】
図１に示すように、本実施例の動的パスワードロックシステムは、ロック部材やロック部材駆動装置、マイクロプロセッサ、解錠認証装置と電源切替装置、物理インタフェースを含み、その中、ロック部材はロック部材駆動装置と接続され、ロック部材駆動装置はロック部材とマイクロプロセッサに接続され、マイクロプロセッサはロック部材駆動装置と接続され、解錠認証装置はマイクロプロセッサを通じてロック部材駆動装置と電気的に接続されてロック部材を駆動し、物理インタフェースはマイクロプロセッサと接続されて動的パスワードロックシステムを外部通信設備と通信させる通信インタフェースを構成し、物理インタフェースは電源切替装置と接続されて外部給電設備が動的パスワードロックシステムに電気を供給する給電インタフェースを構成する。これにより、ひとたび物理インタフェースが外部給電設備に接続されると、外部電力を電源切替装置に導入することができ、電源切替装置は外部電力に対する切替を行うことによって、動的パスワードロックシステムの稼働に必要とする電力を供給する。本発明の動的パスワードロックシステムを通じて、施錠装置に対する給電と通信問題を同時に解決するとともに、施錠装置の原価と補修原価を効果的に低減し、そして、別途バッテリを用意する必要がないので、本発明の動的パスワードロックシステムはより環境に優しくなる。
【００１９】
図に示されている電源切替装置はマイクロプロセッサと電気的に接続されて、切替済み電力をマイクロプロセッサに供給し、本分野の技術者であれば、電源切替装置は動的パスワードロックシステム中のその他の電力が必要である部品と電気的に接続できることを理解することができるものである。
【００２０】
本実施例において、物理インターフェスは好ましくは標準インタフェースＵＳＢインタフェースプロトコルを用いたＵＳＢインタフェースであり、それは動的パスワードロックシステムのケーシング表面上に設置され、ＵＳＢインタフェースはＵＳＢオス又はｍｉｎｉＵＳＢオスを有し、ＵＳＢオス又はｍｉｎｉＵＳＢオスにはプラグイン式ＵＳＢ引出接続ケーブルが設置される。実際の使用においては、ＵＳＢオス又はｍｉｎｉＵＳＢオスはＡ型プラグである。
【００２１】
電源切替装置は好ましくは降圧型切替機であり、例えば、直流チョッパーなどによるＤＣーＤＣ電圧調節機能付きパーツであり、さらに好ましくは、降圧型切替機の出力電圧は３．３Ｖ直流電圧である。
【００２２】
一つの好ましい実施例においては、動的パスワードロックシステムにおいて、動的パスワードロックシステムはロック部材位置検出装置を含み、ロック部材位置検出装置はマイクロプロセッサを通じて物理インタフェースと電気的に接続されて、外部通信設備との通信を実現する。ロック部材位置検出装置は磁場センサーを使うことができ、当該センサーはロック部材運動による磁場の変化を検出することができ、当該変化を電気信号の形式で、マイクロプロセッサに伝送され、マイクロプロセッサは当該信号を保存することができ、ロック部材位置検出装置が磁場センサーである場合、電源切替装置と電気的に接続されて（図には示されていない）正常な稼働を確保し、ロック部材位置検出装置は本分野に周知のその他のロック部材位置を検出できる装置を使用することもできるが、本発明のポイントでないので、改めて説明は不要である。
【００２３】
説明されるべきこととして、既存の通信技術を利用することで、マイクロプロセッサの物理インタフェースを通じた外部通信設備との通信を実現することができる。このことは本発明に発明内容に属しないので、改めて説明は不要である。
【００２４】
また、本発明において、解錠認証装置の実例は、パスワードキーボードや指紋認証装置及びｉｂｕｔｔｏｎ（情報ボタン）認証装置中の一種又は複数種を含み、ロック部材駆動装置の駆動方式の実例は、電磁駆動、マイクロステップモータ及びマイクロ直流モータ中のいずれかを含む。
【００２５】
一つの実施例において、動的パスワードロックシステム全体は鍵本体と鍵本体コントローラの２部分に分けられ、ロック部材やロック部材駆動装置、電源切替装置、物理インタフェースは鍵本体上に設置され、解錠認証装置は鍵本体コントローラ上に設置される。代替方式として、マイクロプロセッサと解錠認証装置を鍵本体コントローラ上に設置することもでき、ロック部材、ロック部材駆動装置、電源切替装置、物理インタフェースを鍵本体上に設置することができる。
【００２６】
本発明のもう一つの実施例では、遠隔パスワードロック設備が提供される。図２に示すように、本発明の動的パスワードロックシステムと、ＩＰＣ（Ｉｎｄｕｓｔｒｉａｌ  Ｐｅｒｓｏｎａｌ  Ｃｏｍｐｕｔｅｒ）とストレージ装置を有し、ＩＰＣは物理インタフェースを通じて動的パスワードロックシステムと電気的に接続されて動的パスワードロックシステムとの通信を実現するとともに、動的パスワードロックシステムへの給電を実現し、ストレージ装置はＩＰＣを通じて動的パスワードロックシステムとの通信接続を実現する。
【００２７】
ストレージ装置はいずれかの既存技術のストレージ記録装置を使用することができ、例えば、サーバーなどである。ストレージ装置は、ＩＰＣを通じて動的パスワードロックシステムとの通信接続を構築するとともに、周知の通信技術を用いて動的パスワードロックシステムのマイクロプロセッサに保存されるロック部材位置検出装置のフィードバック情報を取得する。
【００２８】
次に、ユーザーが遠隔パスワードロック設備を利用した実例を説明する。ユーザーは解錠認証装置を通じて認証を行い、認証を通過すると、マイクロプロセッサがロック部材駆動装置をコントロールして、ロック部材を駆動させて鍵を開ける。電源切替装置は電力をロック部材駆動装置やマイクロプロセッサ及びロック部材位置検出装置に分配する役割をし、ＵＳＢ装置（物理インタフェース）は一方では外部電力を導入して電力切替装置に供給し、他方ではＩＰＣと接続されて、ＩＰＣとサーバー（ストレージ装置）との間で遠隔通信接続を構築し、サーバーは動的パスワードロックシステムのロック部材位置変化情況を認識する。
【００２９】
本実施例によると、通信と電源機能を動的パスワードロックシステム上に集中させずに、ＩＰＣが通信と電源機能を分担するので、動的パスワードロックシステムの材料原価と補修の減価を効果的に低減するだけでなく、バックグラウンドのサーバーによって、動的パスワードロックシステムのロック部材位置変化情況を遠隔モニタリングすることができる。
【００３０】
以上は本発明の最良の実施方式に過ぎず、本技術分野の一般技術者なら、本発明の精神と原理を離れない限りにおいて、少しの改進と修飾を行うこともでき、これらの改進と修飾も本発明の保護範囲に属するものである。
【図１】
2017508089.tif 000003
【図２】
2017508089.tif 000004
【手続補正書】
【提出日】平成28年6月13日(2016.6.13)
【手続補正１】
【補正対象書類名】特許請求の範囲
【補正対象項目名】全文
【補正方法】変更
【補正の内容】
【特許請求の範囲】
【請求項１】
ロック部材、ロック部材駆動装置、マイクロプロセッサ、解錠認証装置、電源切替装置を有し、
前記解錠認証装置は前記マイクロプロセッサを通じて前記ロック部材駆動装置と電気的に接続され、前記ロック部材を駆動させる構成とする動的パスワードロックシステムであって、
前記動的パスワードロックシステムは、物理インタフェースも有し、
前記物理インタフェースは前記マイクロプロセッサと電気的に接続され、前記動的パスワードロックシステムを外部通信設備と通信させる通信インタフェースを構成し、
前記物理インタフェースは前記電源切替装置と電気的に接続され、外部給電設備から前記動的パスワードロックシステムに電気を供給する給電インタフェースを構成する、
ことを特徴とする動的パスワードロックシステム。
【請求項２】
前記動的パスワードロックシステムはロック部材位置検出装置も有し、
前記ロック部材位置検出装置は前記マイクロプロセッサを通じて前記物理インタフェースと電気的に接続され、前記外部通信設備との通信を実現する、
ことを特徴とする請求項１に記載の動的パスワードロックシステム。
【請求項３】
前記ロック部材位置検出装置は磁場センサー又は赤外線センサーである、
ことを特徴とする請求項２に記載の動的パスワードロックシステム。
【請求項４】
前記電源切替装置は降圧型切替機である、
ことを特徴とする請求項１に記載の動的パスワードロックシステム。
【請求項５】
前記降圧型切替機の出力電圧は３．３Ｖ直流電圧である、
ことを特徴とする請求項４に記載の動的パスワードロックシステム。
【請求項６】
前記ロック部材駆動装置は電磁駆動装置、マイクロステップモータ又はマイクロ直流モータである、
ことを特徴とする請求項１に記載の動的パスワードロックシステム。
【請求項７】
前記解錠認証装置はパスワードキーボード、指紋認証装置又はｉｂｕｔｔｏｎ認証装置である、
ことを特徴とする請求項１〜６のいずれかに記載の動的パスワードロックシステム。
【請求項８】
前記物理インタフェースは標準インタフェースＵＳＢインタフェースプロトコルを用いたＵＳＢインタフェースである、
ことを特徴とする請求項１〜７のいずれかに記載の動的パスワードロックシステム。
【請求項９】
前記ＵＳＢインタフェースは前記動的パスワードロックシステムのケーシング表面上に設置、又はケーシングから延出され、
前記ＵＳＢインタフェースはＵＳＢオス又はｍｉｎｉＵＳＢオスを有し、前記ＵＳＢオス又はｍｉｎｉＵＳＢオスにはプラグイン式ＵＳＢ引出接続ケーブルが設置される、
ことを特徴とする請求項８に記載の動的パスワードロックシステム。
【請求項１０】
請求項１〜９中のいずれかに記載の動的パスワードロックシステムと、ＩＰＣとストレージ装置をさらに有してなる遠隔パスワードロック設備であって、
前記ＩＰＣは前記物理インタフェースを通じて前記動的パスワードロックシステムと電気的に接続されて、前記動的パスワードロックシステムとの通信を実現するとともに、前記動的パスワードロックシステムに電気を供給し、
前記ストレージ装置は前記ＩＰＣを通じて前記動的パスワードロックシステムと通信接続される、
ことを特徴とする遠隔パスワードロック設備。
【国際調査報告】
2017508089.tif 000005
2017508089.tif 000006
2017508089.tif 000007
2017508089.tif 000008